(57)【特許請求の範囲】
【請求項１】
複数の沈殿池で、これらの各沈殿池のトラフには溢流堰を備え、これらの各溢流堰を開いて各沈殿池の液面に浮遊しているスカムを個別にトラフ内に流入させるようにしたスカム除去装置において、
前記各溢流堰を、各溢流堰毎に備えられた回動自在な開閉レバーを下方に押し下げて開くように構成するとともに、前記各開閉レバーの上方に沿って無端状に走行し該開閉レバーの上方に位置する時にこれを下方に押し下げるストライカを取付けた無端状走行体を備えたことを特徴とするスカム除去装置。
【請求項２】
前記ストライカを前記無端状走行体に着脱自在に複数個取付けたことを特徴とする請求項１記載のスカム除去装置。
【発明の詳細な説明】
【０００１】
【発明の属する技術分野】
本発明は、スカム除去装置に係り、特に下水処理における沈殿池等の液面上に浮遊しているスカムを該沈殿池から除去するのに使用されるスカム除去装置に関する。
【０００２】
【従来の技術】
下水処理における沈殿池などにおいては、液面上に多数のスカムが浮遊している。これらのスカムは、スカム除去装置により池外に除去される。従来、この種のスカム除去装置としては、筒状のトラフを手動または電動により回転させ、その前面を切欠いて形成した流入口よりスカムを水と共にトラフの内部に導いて排除するようにしたものがある。また、一般に無動力式スカム除去装置と呼ばれるもので、固定式の矩形トラフの前面に溢流堰を取付け、この溢流堰を手動または走行するフライト板から機械的に伝達させた動力により、または他の設備より同様に機械的に伝達された動力を利用して押し下げ、スカムを前記トラフ内部に流入させて排除するようにしたものが広く知られている。
【０００３】
ここに、前記沈殿池を複数個並設した、いわゆる複数水路式の沈殿池にあっては、各沈殿池毎に溢流堰と該溢流堰を開閉する開閉機構を備え、共通のトラフ内に各沈殿池の液面に浮遊しているスカムが流れ込むようにすることが広く行われている。
【０００４】
【発明が解決しようとする課題】
しかしながら、上記従来例のように、各沈殿池毎に溢流堰を開閉する開閉機構を備えると、機械設備や電気設備が複雑となって、かなり高価なものとなってしまう。しかも、共通のトラフ内にスカムが流れ込むようにすると、当初は一定の時間的なずれを設けていたとしても、この時間的なずれが徐々に無くなって、溢流堰の動きが重なってしまう場合がある。このように溢流堰の動きが重なるとトラフ内の水流が一時的に増大してその流れが悪くなり、特に流出トラフの上流側の池ではスカムが流れ込まなくなることがあり、これを防止するためには、トラフの寸法を大きくする必要があるといった問題があった。
【０００５】
本発明は上記事情に鑑みて為されたもので、比較的簡単な機構で各溢流堰の開閉を確実に行うことができ、複数沈殿池のスカム除去を１つの駆動装置で行え、しかも共通のトラフを使用した場合に、溢流堰の動きが重なってしまうことがないようにしたスカム除去装置を提供することを目的とする。
【０００６】
【課題を解決するための手段】
本発明のスカム除去装置は、複数の沈殿池と、これらの各沈殿池とトラフとの間に溢流堰を備え、これらの各溢流堰を開いて各沈殿池の液面に浮遊しているスカムを個別にトラフ内に流入させるようにしたスカム除去装置において、前記各溢流堰を、各溢流堰毎に備えられた回動自在な開閉レバーを下方に押し下げて開くように構成するとともに、前記各開閉レバーの上方に沿って無端状に走行し該開閉レバーの上方に位置する時にこれを下方に押し下げるストライカを取付けた無端状走行体を備えたことを特徴とする。
【０００７】
これにより、無端状走行体を走行させ、この無端状走行体に取付けたストライカで各開閉レバーを順次下方に押し下げることで各沈殿池に備えられた溢流堰を個別に開くことができ、しかも、各開閉レバーを作動させるタイミングを経時変化に拘わらず常に一定とすることができる。
【０００８】
また、本発明は前記ストライカを前記無端状走行体に着脱自在に複数個取付けることを特徴とする。このように、ストライカの数を調節することにより、溢流堰の開閉頻度を増減することができる。
【０００９】
【発明の実施の形態】
以下、本発明の実施の形態を図面を参照して説明する。この実施の形態においては、図１に示すように、互いに並設された４個の沈殿池１ａ〜１ｄと、これらの沈殿池１ａ〜１ｄを横切る共通のトラフ２を備えた複数水路に適用した例を示しているが、これに限定されないことは勿論である。
【００１０】
図２に示すように、前記各沈殿池１ａ〜１ｄとトラフ２との間には、例えば、フロート付きのゴム製のゲートからなる溢流堰３によって構成され、下端をトラフ２に開閉自在に支承された溢流堰３がそれぞれ配置されている。この各溢流堰３がその浮力に抗して水面下に没すると各沈殿池１ａ〜１ｄの液面に浮遊しているスカムが水と共にトラフ２内に流入するようになっている。
【００１１】
前記各溢流堰３の上端には、鉛直方向に延びる連結リンク４の下端が回転自在に固定されている。更にこの連結リンク４の上端は、基端を前記トラフ２に回動自在に支承されて流れ方向と直交する方向に向け斜め上方に延びる開閉レバー５の中間部に回転自在に連結されている。これにより、開閉レバー５を下方に押し下げることで、溢流堰３を水面下まで下方に移動させて該溢流堰３を開き、開閉レバー５を上方に戻すことで、溢流堰３が浮力で元の状態に復帰して該溢流堰３を閉じ、同時に開閉レバー５も元の状態に復帰するように構成されている。
【００１２】
ここに、前記各開閉レバー５は、前記各沈殿池１ａ〜１ｄの上端面よりも上方に突出するようにトラフ２に固定されている。しかも、この突出端部は、円弧状に下方に湾曲した形状に形成されている。
【００１３】
一方、前記各沈殿池１ａ〜１ｄを横切って、無端状走行体としての無端ロープ１０が該無端ロープ１０の往き（または帰り）の行程で前記各開閉レバー５の上方に沿って走行するよう配置されている。そしてこの無端ロープ１０は、駆動モータ等の駆動装置１１を備えた駆動シーブ車１２とテールシーブ車１３との間に掛け渡されている。これにより、駆動シーブ車１２の一定方向の等速回転に伴って、無端ロープ１０が一定の方向に一定の速度で走行するようになっている。
【００１４】
そして、前記無端ロープ１０には、この実施の形態においては、２個のストライカ１４が着脱自在に取付けられ、この無端ロープ１０の往き（または帰り）の行程で、前記ストライカ１４が前記各開閉レバー５に順次接触摺動して、これを下方に押し下げるようなっている。
【００１５】
即ち、例えば、前記ストライカ１４が、図２に示すように、沈殿池１ｃの上方に達した時、この沈殿池１ｃの溢流堰３を開閉する開閉レバー５を下方に押し下げて該溢流堰３を開く。無端ロープ１０が走行してストライカ１４とレバー５との接触が離れると、前記溢流堰３をその浮力で閉じるとともに前記開閉レバー５を元の状態に復帰させる。更に無端ロープ１０が走行して沈殿池１ｄの上方に達すると、この沈殿池１ｄの溢流堰３を開閉する開閉レバー５を下方に押し下げて該溢流堰３を開き、更に通過すると該溢流堰３を閉じる。
【００１６】
なお、この実施の形態にあっては、共通のトラフ２を備えているため、２個のストライカ１４を取付けて、往き（または帰り）の行程側の無端ロープ１０に取付けたストライカ１４が開閉レバー５に作動するようにしているが、この数は１個でも良く、また、ストライカの数を調節することにより、溢流堰の開閉頻度を増減することができる。
【００１７】
ここに、図２に示すように、前記無端ロープ１０の往き（または帰り）の行程と対応する位置にこれと平行にロープガイド１５を掛け渡すとともに、前記ストライカ１４に摺接するガイド１６を取付けることにより、このロープガイド１５の張力でストライカ１３の開閉レバー５の反力によるその浮き上がりを防止することができる。
【００１８】
なお、前記実施の形態にあっては、無端状走行体として無端ロープを使用した例を示しているが、この無端ロープの代わりに、無端ワイヤや無端チェーン等を使用しても良いことは勿論である。このように本発明の趣旨を逸脱することなく、種々の変形実施例が可能である。
【００１９】
【発明の効果】
以上に説明したように、本発明によれば、無端状走行体を走行させるという１つの駆動部で複数の各溢流堰を確実に開閉させることができる。これによって、各沈殿池毎に溢流堰を開閉する開閉機構を備える必要をなくして、構造の簡素化及びこれに伴うコストダウンを図ることができる。しかも、共通のトラフ内にスカムが流れ込むようにしても、各開閉レバーを作動させるタイミングが異なるように選択可能であるので、溢流堰の動きが重なりトラフから水が溢流してしまうことを防止することができる。
【図面の簡単な説明】
【図１】本発明の実施の形態の概要を示す斜視図。
【図２】図１のＡ方向から見た概要図。
【図３】図２のＢーＢ線断面図。
【符号の説明】
１ａ〜１ｄ  沈殿池
２  トラフ
３  溢流堰
５  開閉レバー
１０  無端ロープ（無端状走行体）
１１  駆動装置
１２  駆動シーブ車
１３  テールシーブ車
１４  ストライカ
【図１】
0003625015.tif 000002
【図２】
0003625015.tif 000003
【図３】
0003625015.tif 000004